(57)【要約】【課題】  各競技者が目標とする申告時間と通過時間との時間差を、競技中に関係者等に提供するシステムを提供する。【解決手段】  スタート地点リーダ３、中間地点リーダ４、およびゴール地点リーダ５が無線ＩＣタグ２から読み取った競技者ＩＤをサーバ１１に送信する。サーバ１１は、データベース１２があらかじめ記憶している申告時間を読み出し、通過時間と申告時間との時間差を算出し、算出した時間差と通過時間とを、競技者が所持する競技者端末１６またはコーチなどが所持する会員携帯端末１５に電子メールで送信する。【選択図】  図１
2006235864.tif 000002
【特許請求の範囲】
【請求項１】
移動物の移動経路に設置され、前記移動物に付随し少なくとも前記移動物を識別する識別情報を記憶する記憶媒体が記憶している情報を読み取る複数の読み取り手段と、
前記読み取り手段が前記記憶媒体から読み取った情報にもとづいて、前記読み取り手段の設置場所を前記移動物が通過した時間である通過時間を計測する計時手段と、
前記読み取り手段の設置場所を前記移動物が通過することを予定する時間である目標時間をあらかじめ記憶する記憶手段と、
前記記憶手段が記憶している目標時間と、前記計時手段が計測した通過時間との時間差を算出する減算手段と、
前記通過時間と前記時間差とを含む情報を所定の端末に送信する送信手段とを備えた
ことを特徴とする情報提供システム。
【請求項２】
計時手段は、読み取り手段が記憶媒体から識別情報を読み取った時刻にもとづいて通過時間を計測する
請求項１記載の情報提供システム。
【請求項３】
読み取り手段と通信ネットワークを介して通信を行うサーバを備え、
計時手段、減算手段および送信手段は、前記サーバに搭載されている
請求項１または請求項２記載の情報提供システム。
【請求項４】
所定の端末は、無線回線を介して送信手段と通信を行う携帯端末である
請求項１から請求項３のうちいずれか１項記載の情報提供システム。
【請求項５】
記憶手段は、送信手段の情報の送信先を示す情報を記憶し、
前記送信手段は、前記記憶手段が記憶している前記送信先を示す情報にもとづいて、情報を送信する
請求項１から請求項４のうちいずれか１項記載の情報提供システム。
【請求項６】
送信手段が送信した情報に応じて課金する金額を算出し、算出した金額を記憶手段に記憶させる課金手段を含む
請求項１から請求項５のうちいずれか１項記載の情報提供システム。
【請求項７】
移動物の移動経路に設置され、前記移動物に付随し少なくとも前記移動物を識別する識別情報を記憶する記憶媒体が記憶している情報を読み取る複数の読み取り手段と通信可能に接続される情報提供装置であって、
前記情報提供装置は、前記読み取り手段が前記記憶媒体から読み取った情報にもとづいて、前記読み取り手段の設置場所を前記移動物が通過した時間である通過時間を計測する計時手段と、
前記読み取り手段の設置場所を前記移動物が通過することを予定する時間である目標時間をあらかじめ記憶する記憶手段と、
前記記憶手段が記憶している目標時間と、前記計時手段が計測した通過時間との時間差を算出する減算手段と、
前記通過時間と前記時間差とを含む情報を所定の端末に送信する送信手段とを含む
ことを特徴とする情報提供装置。
【請求項８】
記憶手段は、送信手段の情報の送信先を示す情報を記憶し、
前記送信手段は、前記記憶手段が記憶している前記送信先を示す情報にもとづいて、情報を送信する
請求項７記載の情報提供装置。
【請求項９】
送信手段が送信した情報に応じて課金する金額を算出し、算出した金額を記憶手段に記憶させる課金手段を含む
請求項７または請求項８記載の情報提供装置。
【請求項１０】
移動物の移動経路に設置され、前記移動物に付随し少なくとも前記移動物を識別する識別情報を記憶する記憶媒体が記憶している情報を読み取る複数の読み取り手段と通信可能に接続されるコンピュータに、
前記読み取り手段の設置場所を前記移動物が通過することを予定する時間である目標時間をあらかじめ記憶させる記憶処理と、
前記読み取り手段が前記記憶媒体から読み取った情報にもとづいて、前記読み取り手段の設置場所を前記移動物が通過した時間である通過時間を計測する計時処理と、
前記記憶手段が記憶している目標時間と、前記計時手段が計測した通過時間との時間差を算出する減算処理と、
前記通過時間と前記時間差とを含む情報を所定の端末に送信する送信処理と
を実行させるための情報提供プログラム。
【請求項１１】
移動物に付随し少なくとも前記移動物を識別する識別情報を記憶する記憶媒体が記憶している情報を読み取る複数の読み取り手段を、移動物の移動経路に設置し、
前記読み取り手段の設置場所を前記移動物が通過することを予定する時間である目標時間をあらかじめ記憶し、
前記記憶媒体から読み取った情報にもとづいて、前記読み取り手段の設置場所を前記移動物が通過した時間である通過時間を計測し、
前記記憶手段が記憶している目標時間と、前記計時手段が計測した通過時間との時間差を算出し、
前記通過時間と前記時間差とを含む情報を所定の端末に送信する
ことを特徴とする情報提供方法。
【発明の詳細な説明】
【技術分野】
【０００１】
本発明は、あらかじめ定められた距離を移動するのに要する時間を競うようなマラソン等の競技会で、競技者が所定距離を移動するのに要した時間に関する情報を競技者または第三者に提供する情報提供システム、情報提供装置、情報提供プログラム、および情報提供方法に関する。
【背景技術】
【０００２】
近年、老若男女を問わず、スポーツと親しむことが盛んになり、マラソンやクロスカントリーなどの競技会に参加する人が増加している。このような競技会において、目標時間を設定する参加者も多い。
【０００３】
また、公式競技会では、順位だけではなく、時間の記録は重要な要素であり、テレビジョン放送において、記録を即座に画面上に表示させることは、視聴者サービスの差異化につながることもあり、様々な工夫がなされている。例えば、マラソンのテレビジョン放送では、５ｋｍごとの通過地点における各選手のラップタイムを表示させることが多い。
【０００４】
特許文献１に記載されているシステムは、競技者の競技時間、競技者による予想競技時間、および競技時間と予想競技時間との差とを競技終了後にスピーカ等で競技者や観客に通知する。
【０００５】
特許文献２に記載されているシステムは、来場者が所持している非接触ＩＣタグが記憶している識別情報を読み取り、識別情報に対応づけて記憶している来場者の携帯電話機の電子メールアドレスに競技等の情報を送信する。
【０００６】
【特許文献１】特開平９−１６１１１４号公報  （段落０００７〜００３３、図１）
【特許文献２】特開２００４−９４４３１号公報  （段落０００８〜００２５、図１）
【発明の開示】
【発明が解決しようとする課題】
【０００７】
しかし、特許文献１および特許文献２に記載されているシステムは、競技中の競技者に競技の情報を提供することができない。
【０００８】
そこで、本発明は、競技中の競技者や関係者に、競技者が所定距離を移動するのに要した時間に関する情報を提供する情報提供システム、情報提供装置、情報提供プログラム、および情報提供方法を提供することを目的とする。
【課題を解決するための手段】
【０００９】
本発明による情報提供システムは、移動物の移動経路に設置され、移動物に付随し少なくとも移動物を識別する識別情報を記憶する記憶媒体が記憶している情報を読み取る複数の読み取り手段と、読み取り手段が記憶媒体から読み取った情報にもとづいて、読み取り手段の設置場所を移動物が通過した時間である通過時間を計測する計時手段と、読み取り手段の設置場所を移動物が通過することを予定する時間である目標時間をあらかじめ記憶する記憶手段と、記憶手段が記憶している目標時間と、計時手段が計測した通過時間との時間差を算出する減算手段と、通過時間と時間差とを含む情報を所定の端末に送信する送信手段とを備えたことを特徴とする。
【００１０】
計時手段は、読み取り手段が記憶媒体から識別情報を読み取った時刻にもとづいて通過時間を計測してもよい。
【００１１】
読み取り手段と通信ネットワークを介して通信を行うサーバを備えてもよく、計時手段、減算手段および送信手段は、サーバに搭載されていてもよい。
【００１２】
所定の端末は、無線回線を介して送信手段と通信を行う携帯端末であってもよい。
【００１３】
記憶手段は、送信手段の情報の送信先を示す情報を記憶してもよく、送信手段は、記憶手段が記憶している送信先を示す情報にもとづいて、情報を送信してもよい。
【００１４】
送信手段が送信した情報に応じて課金する金額を算出し、算出した金額を記憶手段に記憶させる課金手段を含んでもよい。
【００１５】
本発明による情報提供装置は、移動物の移動経路に設置され、移動物に付随し少なくとも移動物を識別する識別情報を記憶する記憶媒体が記憶している情報を読み取る複数の読み取り手段と通信可能に接続される情報提供装置であって、情報提供装置は、読み取り手段が記憶媒体から読み取った情報にもとづいて、読み取り手段の設置場所を移動物が通過した時間である通過時間を計測する計時手段と、読み取り手段の設置場所を移動物が通過することを予定する時間である目標時間をあらかじめ記憶する記憶手段と、記憶手段が記憶している目標時間と、計時手段が計測した通過時間との時間差を算出する減算手段と、通過時間と時間差とを含む情報を所定の端末に送信する送信手段とを含むことを特徴とする。
【００１６】
記憶手段は、送信手段の情報の送信先を示す情報を記憶してもよく、送信手段は、記憶手段が記憶している送信先を示す情報にもとづいて、情報を送信してもよい。
【００１７】
送信手段が送信した情報に応じて課金する金額を算出し、算出した金額を記憶手段に記憶させる課金手段を含んでもよい。
【００１８】
本発明による情報提供プログラムは、移動物の移動経路に設置され、移動物に付随し少なくとも移動物を識別する識別情報を記憶する記憶媒体が記憶している情報を読み取る複数の読み取り手段と通信可能に接続されるコンピュータに、読み取り手段の設置場所を移動物が通過することを予定する時間である目標時間をあらかじめ記憶させる記憶処理と、読み取り手段が記憶媒体から読み取った情報にもとづいて、読み取り手段の設置場所を移動物が通過した時間である通過時間を計測する計時処理と、記憶手段が記憶している目標時間と、計時手段が計測した通過時間との時間差を算出する減算処理と、通過時間と時間差とを含む情報を所定の端末に送信する送信処理とを実行させることを特徴とする。
【００１９】
本発明による情報提供方法は、移動物に付随し少なくとも移動物を識別する識別情報を記憶する記憶媒体が記憶している情報を読み取る複数の読み取り手段を、移動物の移動経路に設置し、読み取り手段の設置場所を移動物が通過することを予定する時間である目標時間をあらかじめ記憶し、記憶媒体から読み取った情報にもとづいて、読み取り手段の設置場所を移動物が通過した時間である通過時間を計測し、記憶手段が記憶している目標時間と、計時手段が計測した通過時間との時間差を算出し、通過時間と時間差とを含む情報を所定の端末に送信することを特徴とする。
【発明の効果】
【００２０】
本発明によれば、読み取り手段が、移動物に付随している記憶媒体が記憶している情報を読み取った時間である通過時間と、通過時間と目標時間との時間差とを含む情報を提供することができる。
【００２１】
請求項２および請求項３に記載されている発明によれば、読み取り手段が記憶媒体から識別情報を読み取った時刻にもとづいて、通過時間を計測して、所定の端末に情報を送信することができる。
【００２２】
請求項４、請求項５、および請求項８に記載されている発明によれば、記憶手段が記憶している携帯端末等の送信先に情報を提供することができる。
【００２３】
請求項６および請求項９に記載されている発明によれば、送信した情報に応じて、課金することができる。
【発明を実施するための最良の形態】
【００２４】
本発明の実施の形態について、図面を参照して説明する。図１は、本発明による情報提供システムの実施の形態を説明する説明図である。なお、この実施の形態では、競技者がマラソン大会に出場する場合を例に説明する。
【００２５】
この実施の形態の情報提供システムでは、移動物の移動経路としてのマラソンコースのスタート地点に設置され、移動物としての競技者を識別する情報である競技者ＩＤを記憶する無線ＩＣタグ（記憶媒体）２が記憶している競技者ＩＤを読み取るスタート地点リーダ３と、マラソンコースの中間地点に設置され、無線ＩＣタグ２が記憶している競技者ＩＤを読み取る中間地点リーダ４と、マラソンコースのゴール地点に設置され、無線ＩＣタグ２が記憶している競技者ＩＤを読み取るゴール地点リーダ５とが設置されている。この実施の形態では、無線ＩＣタグ２は、例えば、無線タグリーダが発する電波から電力を生成してＩＤ情報を発信するＲＦＩＤタグである。無線ＩＣタグとして、内蔵した電池を電力源とするものを用いてもよい。
【００２６】
また、情報提供システムは、スタート地点リーダ３、中間地点リーダ４およびゴール地点リーダ５に、第１の通信ネットワーク７を介して接続されるサーバ１１と、サーバ１１に提供する情報を記憶するデータベース（記憶手段）１２とを含む。さらに、第２の通信ネットワーク（無線回線）８を介してサーバ１１から情報を受信する競技者端末１６、会員携帯端末１５および会員固定端末１７を含む。なお、データベース１２は、サーバ１１に内蔵されていてもよい。
【００２７】
読み取り手段としてのスタート地点リーダ３、中間地点リーダ４およびゴール地点リーダ５は、無線ＩＣタグ２が記憶している競技者ＩＤを無線で読み取り、読み取った競技者ＩＤを、第１の通信ネットワーク７を介してサーバ１１に送信する。
【００２８】
スタート地点リーダ３、中間地点リーダ４およびゴール地点リーダ５のアンテナは、図１に示すように、無線ＩＣタグ２が記憶している競技者ＩＤを確実に読み取るため、例えば、ゲート（門）状に構成されていることが好ましい。
【００２９】
スタート地点リーダ３、中間地点リーダ４およびゴール地点リーダ５は、ゲートを構成する２本の柱とゲートを構成する横棒とで３辺を構成する面（ただし、横棒の幅分の厚みがある）を無線ＩＣタグ２が通過した場合にのみ無線ＩＣタグ２が記憶している競技者ＩＤを読み取ることが望ましい。そのため、スタート地点リーダ３、中間地点リーダ４およびゴール地点リーダ５の感度がよすぎると無線ＩＣタグ２が記憶している競技者ＩＤを読み取る範囲が広くなるため、好ましくない。また、無線ＩＣタグ２が発する電波の周波数が高いと指向性が強くなり、スタート地点リーダ３、中間地点リーダ４、およびゴール地点リーダ５が無線ＩＣタグ２が記憶している競技者ＩＤを読み取る範囲を限定することができるので、無線ＩＣタグ２が発する電波の周波数は高いことが好ましい。
【００３０】
なお、この実施の形態では、スタート地点とゴール地点との間の中間地点に、中間地点リーダ４が設置されているが、本発明はこれに限定されるものではなく、他の地点（例えば、スタート地点から１０ｋｍや、３０ｋｍの地点等の複数の任意の地点）に、無線ＩＣタグ２が記憶している競技者ＩＤを読み取るリーダが設置されていてもよい。
【００３１】
また、無線ＩＣタグ２は、各競技者の過去の記録等の情報である付随情報を記憶していてもよい。
【００３２】
第１の通信ネットワーク７は、例えば、インターネットによって実現され、第２の通信ネットワーク８は、例えば、インターネットと、携帯電話通信網とによって実現される。
【００３３】
携帯端末としての競技者端末１６は、例えば、携帯電話機等の移動通信端末によって実現され、競技者は競技中に競技者端末１６を携帯している。携帯端末としての会員携帯端末１５は、例えば、携帯電話機等の移動通信端末によって実現され、競技者のコーチ等が携帯している。会員固定端末１７は、例えば、パーソナルコンピュータによって実現される。
【００３４】
サーバ１１およびデータベース１２は、例えば、マラソン大会を運営する運営者が管理する情報管理センタ１０に設置され、サーバ１１は、スタート地点リーダ３、中間地点リーダ４、およびゴール地点リーダ５が無線ＩＣタグ２から読み取った競技者ＩＤをデータベース１２に記憶させたり、データベース１２が記憶している情報と、スタート地点リーダ３、中間地点リーダ４、およびゴール地点リーダ５が無線ＩＣタグ２から読み取った競技者ＩＤとにもとづいて、情報を第２の通信ネットワーク８を介して競技者端末１６、会員携帯端末１５または会員固定端末１７に送信する。
【００３５】
図２は、本発明による情報提供システムの一構成例を示すブロック図である。データベース１２は、各競技者があらかじめ申告した過去の記録である自己記録、目標とする記録である申告時間（移動物が通過することを予定する目標時間）、実際の競技者の記録である通過時間（読み取り手段の設置場所を移動物が通過した時間）、および申告時間と通過時間との差である時間差を記憶する競技者情報データベース１２ａを含む。また、データベース１２は、サーバ１１が情報を提供する会員の会員ＩＤと、会員のメールアドレスと、会員に提供する情報の競技者を示す競技者ＩＤと、会員に課金する金額である利用料金とを記憶するメール情報データベース１２ｂを含む。データベース１２は、さらに、第２の通信ネットワーク８としてのインターネットを介して接続した会員固定端末１７などの端末装置に提供する情報を記憶するＷｅｂ情報データベース１２ｃを含む。Ｗｅｂ情報データベース１２ｃは、競技に関する諸情報をあらかじめ記憶し、要求に応じて、コーチ待機室や移動車両内などの所定場所に設置された会員固定端末１７などの端末装置に情報を提供する。
【００３６】
図３は、競技者情報データベース１２ａが記憶している情報の一例を示す説明図である。図３に示す例では、競技者情報データベース１２ａは、競技者ＩＤがａである競技者は、中間地点の自己記録がＴａ１ｐであり、ゴール地点の自己記録がＴａ１ｇであり、中間地点の申告時間がＴａ２ｐであり、ゴール地点の申告時間がＴａ２ｇであり、中間地点の通過時間がＴａ３ｐであり、ゴール地点の通過時間がＴａ３ｇであり、中間地点の時間差がＴａ２ｐ−Ｔａ３ｐであり、ゴール地点の時間差がＴａ２ｇ−Ｔａ３ｇであることを示している。
【００３７】
なお、中間地点以外の場所（例えば、１０ｋｍ地点等）に、無線ＩＣタグ２を読み取るリーダを設置した場合、競技者情報データベース１２ａは、その地点における通過時間、自己記録、申告時間および時間差を記憶してもよい。
【００３８】
図４は、メール情報データベース１２ｂが記憶している情報の一例を示す説明図である。図４に示す例では、メール情報データベース１２ｂは、会員ＩＤがｘである会員は、情報を受信する端末（競技者端末１６または会員携帯端末１５、会員固定端末１７であってもよい）の電子メールアドレスがＭｘであり、電子メールアドレスＭｘに送信する情報の競技者ＩＤはａであり、利用料金はＣｘであることを示している。
【００３９】
情報処理装置（コンピュータ）であるサーバ１１は、情報を送信する送受信部（送信手段）２１、送受信部２１が情報を受信した時間を計測する計時部（計時手段）２３、時間差を算出し、算出した時間差を競技者情報データベース１２ａに記憶させる減算部（減算手段）２４、会員に課金する料金を算出する課金部（課金手段）２５、および各部を制御する制御部２２を含む。
【００４０】
送受信部２１は、スタート地点リーダ３、中間地点リーダ４およびゴール地点リーダ５から情報を受信し、競技者端末１６、会員携帯端末１５または会員固定端末１７に情報を送信する。計時部２３は、スタート地点リーダ３、中間地点リーダ４およびゴール地点リーダ５から送受信部２１が情報を受信した時間を計測する。なお、計時部２３は、それぞれの競技者に対応して設けられる。減算部２４は、計時部２３が計測した中間地点リーダ４、およびゴール地点リーダ５から情報を受信した時刻と、競技者情報データベース１２ａが記憶している申告時間とにもとづいて時間差を算出し、算出した時間差を競技者情報データベース１２ａに記憶させる。課金部２５は、会員の端末に送信した情報に応じて、会員に課金する料金を算出する。
【００４１】
サーバ１１は、送受信部２１の機能（ハードウェアで実現される部分を除く）、計時部２３の機能、減算部２４の機能、課金部２５の機能および制御部２２の機能を、各機能を実現するためのプログラムに従って動作するＣＰＵで実現する。
【００４２】
次に、本発明の実施の形態の動作について説明する。図５は、本発明の実施の形態の動作を説明するフローチャートである。
【００４３】
競技者または競技者の関係者（コーチなど）は、あらかじめ自己記録や申告時間などの情報を競技会の主催者に申告する。主催者または主催者側の補助員などは、申告された情報を、競技者ＩＤに対応付けて競技者情報データベース１２ａに登録する。また、競技者ＩＤを記憶した無線ＩＣタグ２を競技者に配布する。競技者は、配布された無線ＩＣタグ２を衣服などに付ける。なお、無線ＩＣタグ２そのものを競技者に配布するのではなく、無線ＩＣタグ２が付されたゼッケンなどの競技者が身につける形態のものを競技者に配布してもよい。また、競技者が競技者端末１６を所持して競技を行う場合には、競技者端末１６に貼付可能な無線ＩＣタグ２を配布するようにしてもよい。
【００４４】
また、競技者または競技者の関係者は、電子メールアドレスを競技会の主催者に申告する。主催者または主催者側の補助員などは、申告された電子メールアドレスを、競技者ＩＤに対応付けてメール情報データベース１２ｂに登録する。競技者または競技者の関係者は、競技者端末１６に情報を送信させたい場合には競技者端末１６の電子メールアドレスを申告し、関係者が所持する会員携帯端末１５に情報を送信させたい場合には会員携帯端末１５の電子メールアドレスを申告する。以下、会員携帯端末１５の電子メールアドレスが申告された場合を想定する。
【００４５】
競技者がスタート地点を通過すると、スタート地点リーダ３は、無線ＩＣタグ２が記憶している競技者ＩＤを読み取って（ステップＳ１０１）、読み取った競技者ＩＤを第１の通信ネットワーク７を介してサーバ１１の送受信部２１に送信する（ステップＳ１０２）。
【００４６】
制御部２２は、送受信部２１がスタート地点リーダ３から競技者ＩＤを受信すると、計時部２３の計時を０にリセットして、計時を開始する（ステップＳ１０３）。制御部２２は、メール情報データベース１２ｂを参照して、送受信部２１が受信した競技者ＩＤが示す競技者の情報を送信するべき電子メールアドレスを読み出す（ステップＳ１０４）。例えば、送受信部２１がスタート地点リーダ３から受信した競技者ＩＤがａであった場合、図４を参照すると、競技者ＩＤａの情報を送信する電子メールアドレスはＭｘであるので、制御部２２は、Ｍｘを読み出す。
【００４７】
制御部２２は、送受信部２１に、読み出した電子メールアドレスへ、競技者ＩＤａである競技者がスタートしたことを示す電子メールを送信させる（ステップＳ１０５）。制御部２２は、送受信部２１に電子メールを送信させると、送信先の電子メールアドレスの会員に課金する料金を、課金部２５に算出させ（ステップＳ１０６）、課金部２５が算出した料金を、メール情報データベース１２ｂに記憶させる。
【００４８】
具体的には、制御部２２は、送受信部２１に、Ｍｘへ電子メールを送信させると、電子メールアドレスがＭｘである会員に課金する料金を課金部２５に算出させる。そして、課金部２５が算出した料金を、電子メールアドレスがＭｘである会員（すなわち、会員ＩＤがｘである会員）の利用料金に加算してメール情報データベース１２ｂに記憶させる。
【００４９】
次に、競技者が中間地点を通過すると、中間地点リーダ４は、無線ＩＣタグ２が記憶している競技者ＩＤを読み取って（ステップＳ１０７）、読み取った競技者ＩＤを第１の通信ネットワーク７を介してサーバ１１の送受信部２１に送信する（ステップＳ１０８）。
【００５０】
制御部２２は、送受信部２１が中間地点リーダ４から競技者ＩＤを受信すると、計時部２３が計時している時刻を読み出す（ステップＳ１０９）。制御部２２は、計時部２３から読み出した時刻を、競技者情報データベース１２ａにおける送受信部２１が受信した競技者ＩＤの中間地点の通過時間の欄に書き込む（ステップＳ１１０）。例えば、競技者ＩＤがａであって、計時部２３から読み出した時刻がＴａ３ｐであった場合、制御部２２は、Ｔａ３ｐを競技者情報データベース１２ａにおける競技者ＩＤａの中間地点の通過時間の欄に書き込む。競技者がスタートした時点で計時部２３の計時が０にリセットされているので、すなわち、基準時刻に設定されているので、計時部２３から読み出した時刻は、中間地点リーダ４が無線ＩＣタグ２から競技者ＩＤを読み取った時刻における基準時刻からの経過時間に相当する。そして、経過時間が、通過時間として競技者情報データベース１２ａに設定される。
【００５１】
そして、制御部２２は、競技者情報データベース１２ａから競技者の中間地点における申告時間を読み出し、送受信部２１が受信した競技者ＩＤと、読み出した申告時間と、計時部２３から読み出した通過時間とを減算部２４に出力する。減算部２４は、制御部２２が入力した申告時間から、通過時間を減算して時間差を算出し、算出した時間差を、競技者情報データベース１２ａにおける中間地点の時間差の欄に書き込む（ステップＳ１１１）。
【００５２】
例えば、送受信部２１が中間地点リーダ４から受信した競技者ＩＤがａであって、ａの中間地点の申告時間がＴａ２ｐであった場合、減算部２４は、Ｔａ２ｐ−Ｔａ３ｐを計算し、計算結果を競技者情報データベース１２ａにおける競技者ＩＤａの中間地点の時間差の欄に書き込む。
【００５３】
制御部２２は、減算部２４が算出した時間差を競技者情報データベース１２ａにおける中間地点の時間差の欄に書き込むと、時間差を書き込んだ競技者の情報を送信するべき会員の電子メールアドレスをメール情報データベース１２ｂから読み出す（ステップＳ１１２）。
【００５４】
制御部２２は、送受信部２１に、読み出した電子メールアドレスへ、中間地点における時間差の欄に書き込まれた情報と、中間地点における通過時間とを送信させる（ステップＳ１１３）。例えば、減算部２４が時間差を書き込んだ競技者ＩＤがａであった場合、メール情報データベース１２ｂから競技者ＩＤａの情報を送信するべき会員の電子メールアドレスであるＭｘを読み出し、送受信部２１に、Ｍｘへ中間地点における時間差と中間地点における通過時間とを送信させる。
【００５５】
制御部２２は、送受信部２１に電子メールを送信させると、送信先の電子メールアドレスの会員に課金する料金を、課金部２５に算出させ（ステップＳ１１４）、課金部２５が算出した料金を、メール情報データベース１２ｂに記憶させる。
【００５６】
例えば、制御部２２は、送受信部２１に、Ｍｘへ電子メールを送信させると、電子メールアドレスがＭｘである会員に課金する料金を課金部２５に算出させる。そして、課金部２５が算出した料金を、電子メールアドレスがＭｘである会員（すなわち、会員ＩＤがｘである会員）の利用料金に加算してメール情報データベース１２ｂに記憶させる。
【００５７】
次に、競技者がゴール地点を通過すると、ゴール地点リーダ５は、無線ＩＣタグ２が記憶している競技者ＩＤを読み取って（ステップＳ１１５）、読み取った競技者ＩＤを第１の通信ネットワーク７を介してサーバ１１の送受信部２１に送信する（ステップＳ１１６）。
【００５８】
制御部２２は、送受信部２１がゴール地点リーダ５から競技者ＩＤを受信すると、計時部２３が計時している時刻を読み出す（ステップＳ１１７）。制御部２２は、計時部２３から読み出した時刻を、競技者情報データベース１２ａにおける送受信部２１が受信した競技者ＩＤのゴール地点の通過時間の欄に書き込む（ステップＳ１１８）。具体的には、例えば、競技者ＩＤがａであって、計時部２３から読み出した時刻がＴａ３ｇであった場合、制御部２２は、Ｔａ３ｇを競技者情報データベース１２ａにおける競技者ＩＤａのゴール地点の通過時間の欄に書き込む。
【００５９】
そして、制御部２２は、競技者情報データベース１２ａから競技者のゴール地点における申告時間を読み出し、送受信部２１が受信した競技者ＩＤと、読み出した申告時間と、計時部２３から読み出した通過時間とを減算部２４に出力する。減算部２４は、制御部２２が入力した申告時間から、通過時間を減算して時間差を算出し、算出した時間差を、競技者情報データベース１２ａにおけるゴール地点の時間差の欄に書き込む（ステップＳ１１９）。
【００６０】
例えば、送受信部２１がゴール地点リーダ５から受信した競技者ＩＤがａであって、ａのゴール地点の申告時間がＴａ２ｇであった場合、減算部２４は、Ｔａ２ｇ−Ｔａ３ｇを計算し、計算結果を競技者情報データベース１２ａにおける競技者ＩＤａのゴール地点の時間差の欄に書き込む。
【００６１】
制御部２２は、減算部２４が算出した時間差を競技者情報データベース１２ａにおけるゴール地点の時間差の欄に書き込むと、時間差を書き込んだ競技者ＩＤの情報を送信するべき会員の電子メールアドレスをメール情報データベース１２ｂから読み出す（ステップＳ１２０）。
【００６２】
制御部２２は、送受信部２１に、読み出した電子メールアドレスへ、ゴール地点における時間差の欄に書き込まれた情報と、ゴール地点における通過時間とを送信させる（ステップＳ１２１）。例えば、減算部２４が時間差を書き込んだ競技者ＩＤがａであった場合、メール情報データベース１２ｂから競技者ＩＤａの情報を送信するべき会員の電子メールアドレスであるＭｘを読み出し、送受信部２１に、Ｍｘへゴール地点における時間差とゴール地点における通過時間とを送信させる。
【００６３】
制御部２２は、送受信部２１に電子メールを送信させると、送信先の電子メールアドレスの会員に課金する料金を、課金部２５に算出させ（ステップＳ１２２）、課金部２５が算出した料金を、メール情報データベース１２ｂに記憶させる。
【００６４】
例えば、制御部２２は、送受信部２１に、Ｍｘへ電子メールを送信させると、電子メールアドレスがＭｘである会員に課金する料金を課金部２５に算出させる。そして、課金部２５が算出した料金を、電子メールアドレスがＭｘである会員（すなわち、会員ＩＤがｘである会員）の利用料金に加算してメール情報データベース１２ｂに記憶させる。
【００６５】
以上に述べたように、この実施の形態によれば、競技者のコーチ等の会員は、競技者が中間地点リーダ４、およびゴール地点リーダ５を通過した通過時間、および通過時間と申告時間との時間差の情報を会員携帯端末１５で知ることができるため、競技者端末１６を介して、競技者に適切な指示を送ることができる。
【００６６】
また、サーバ１１は、課金部２５を備えるため、提供した情報に応じて、課金を行うことができる。
【００６７】
なお、ここでは、サーバ１１が情報を会員携帯端末１５に送信する場合を例にしたが、メール情報データベース１２ｂは、競技者端末１６のメールアドレスを記憶し、サーバ１１の送受信部２１は、制御部２２の制御に従って、情報を競技者端末１６に送信してもよい。その場合には、競技者は、中間地点リーダ４を通過すると、通過時間、および通過時間と申告時間との時間差の情報を即時に知ることができる。従って、自身の走行状況を確認し、体調を考慮しながらペース配分を行うことができる。
【００６８】
なお、送受信部２１は、会員が情報の送信を要求した時に、情報を会員の端末に送信してもよいし、情報を表示する電光表示板や、テレビジョン放送局等の端末に情報を送信してもよい。
【産業上の利用可能性】
【００６９】
本発明は、マラソンや、クロスカントリー、スキー、自転車等の競技会で利用することができる。また、路線バスの運行経路にゲートを設置すると、路線バスの運行管理にも使用することができる。
【図面の簡単な説明】
【００７０】
【図１】本発明による情報提供システムの実施の形態を説明する説明図である。
【図２】本発明による情報提供システムの一構成例を示すブロック図である。
【図３】競技者情報データベースが記憶している情報の一例を示す説明図である。
【図４】メール情報データベースが記憶している情報の一例を示す説明図である。
【図５】本発明の実施の形態の動作を説明するフローチャートである。
【符号の説明】
【００７１】
２      無線ＩＣタグ
３      スタート地点リーダ
４      中間地点リーダ
５      ゴール地点リーダ
７      第１の通信ネットワーク
８      第２の通信ネットワーク
１０    情報管理センタ
１１    サーバ
１２    データベース
１２ａ  競技者情報データベース
１２ｂ  メール情報データベース
１２ｃ  Ｗｅｂ情報データベース
１５    会員携帯端末
１６    競技者端末
１７    会員固定端末
２１    送受信部
２２    制御部
２３    計時部
２４    減算部
２５    課金部
【図１】
2006235864.tif 000003
【図２】
2006235864.tif 000004
【図３】
2006235864.tif 000005
【図４】
2006235864.tif 000006
【図５】
2006235864.tif 000007